(57)【要約】【課題】警報器において、簡単な操作で、所望の警報音声を警報音声として設定できるようにする。【解決手段】監視対象の異常を検知する検知部１１と、それぞれ異なる対処情報を含ませた複数の警報音声を予め記憶させた音声データ格納部１４と、前記複数の警報音声のいずれかを選択設定する設定部１５と、前記検知部が監視対象の異常を検知したときには、前記設定部によって選択設定されている警報音声を出力する警報制御部１３とを備える。【選択図】図１
2010108027.tif 000002
【特許請求の範囲】
【請求項１】
監視対象の異常を検知する検知部と、
それぞれ異なる対処情報を含ませた複数の警報音声を予め記憶させた音声データ格納部と、
前記複数の警報音声のいずれかを選択設定する設定部と、
前記検知部が監視対象の異常を検知したときには、前記設定部によって選択設定されている警報音声を出力する警報制御部とを備えた警報器。
【請求項２】
監視対象の異常を検知する検知部と、
異常報知音声と、それぞれ異なる複数の対処情報音声とを予め記憶させた音声データ格納部と、
前記複数の対処情報音声のいずれかを選択設定する設定部と、
前記検知部が監視対象の異常を検知したときには、前記異常報知音声と、前記設定部によって選択設定されている対処情報音声とを組み合わせて出力する警報制御部とを備えた警報器。
【発明の詳細な説明】
【技術分野】
【０００１】
本発明は、監視対象を監視して異常を判断したときに警報音声を出力する警報器の改良に関する。
【背景技術】
【０００２】
近年、火災等の異常を検知すると、警報として、ブザー音だけではなく、「ピューピュー、火事です、火事です」というような音声を出力する警報器が開発、市販されている。
【０００３】
そのような警報器の従来技術の例として、特許文献１には、ユーザが予め音声を録音しておき、火災時には、警報として、その録音した音声を再生する警報器が開示されている。この技術によれば、設置場所に応じた音声警報を録音しておけば、いざというときに録音された音声警報が出力されるので、在室者はその音声警報に従えれば適切な行動を取ることができる。
【特許文献１】特開２００８−２３４０８６号公報
【発明の開示】
【発明が解決しようとする課題】
【０００４】
しかしながら、特許文献１の構成では、入力された音声をデジタル化する等の処理が必須であり構造が複雑である。また、ユーザが自ら警報音声を録音する必要があり、設置するための手間が増えるという問題がある。その上、録音に失敗した場合には、警報音声が無音となって、火災時に音声警報が全く出力されないことも考えられる。
【０００５】
そこで、本発明は、簡単な操作で、所望の警報音声を警報音声として設定できる新規な構成の警報器を提案する。
【課題を解決するための手段】
【０００６】
本発明による第１の警報器は、監視対象の異常を検知する検知部と、それぞれ異なる対処情報を含ませた複数の警報音声を予め記憶させた音声データ格納部と、前記複数の警報音声のいずれかを選択設定する設定部と、前記検知部が監視対象の異常を検知したときには、前記設定部によって選択設定されている警報音声を出力する警報制御部とを備える。ここに、対処情報は、複数種類の設置場所を予め想定し、その想定した各設置場所での望ましい対処方法を示唆するものである。
【０００７】
また、本発明による第２の警報器は、監視対象の異常を検知する検知部と、異常報知音声と、それぞれ異なる複数の対処情報音声とを予め記憶させた音声データ格納部と、前記複数の対処情報音声のいずれかを選択設定する設定部と、前記検知部が監視対象の異常を検知したときには、前記異常報知音声と、前記設定部によって選択設定されている対処情報音声とを組み合わせて出力する警報制御部とを備える。
【発明の効果】
【０００８】
本発明は、音声データ格納部に複数の警報音声を予め記憶させておき、その警報音声から所望のものを選択部によって選択設定する簡単な構成としているので、低コストで実施できる。また、火災時には、設置場所での望ましい対処を示唆する警報音声を出力することができるので、幼児や老人の場合でも、適切な対処が可能になる。
【０００９】
また、音声データ格納部に、異常報知音声と、対処情報音声とを予め記憶させ、その異常報知音声と対処情報音声とを組み合わせて出力する構成では、各組み合わせにおいて、異常報知音声は共通した音声データが使われるので、音声データ格納部の容量を節約できる。
【発明を実施するための最良の形態】
【００１０】
以下、本発明の実施例を図に従って説明する。ここで、実施例は、住宅用の火災警報器であるが、本発明は、それ以外にも、例えば、ガス漏れ警報器等にも適用できる。
【００１１】
図１（ａ）は、実施例の機能ブロック図で、図１（ｂ）は、実施例の外観を示した斜視図である。警報器１は、天井面あるいは壁面にネジ等によって固定されるベース部１ａと、ベース部１ａに着脱自在に取り付けられる本体警報部１ｂとからなる。本体警報部１ｂは、回路的な構成要素として、監視対象の異常を検知する検知部１１と、スピーカ１２を駆動して警報音声の出力を制御する警報制御部１３と、警報音声を予め記憶させた音声データ格納部１４と、出力すべき警報音声を選択設定する設定部１５と、警報停止操作等を受け付ける操作部１６とを備えている。また、本体警報部１ｂの外面には、操作部１６を構成する操作ボタン１６ａと、この操作ボタン１６ａを連動される引紐１６ｂと、スピーカ１２のための通音孔１２ａと、検知部１１を保護する防虫、保護カバー１１ａが設けられている。
【００１２】
音声データ格納部１４には、それぞれ異なる対処情報を含ませた複数の警報音声が予め記憶されている。これに対し、設定部１５では、所望の警報音声に対応したコードをユーザが選択設定できるようになっている。
【００１３】
警報制御部１３は、基本的な動作として、検知部１１が監視対象の異常を検知したときには、設定部１５によって選択設定されている警報音声の出力を開始し、警報音声を出力している間に、操作部１６で警報停止操作がなされると、警報音声の出力を所定時間停止する。
【００１４】
図２は、警報音声のコード割り当て表で、音声データ格納部１４には、このコードに対応させて、警報音声のそれぞれが記憶されている。本発明では、複数種類の設置場所を予め想定し、その想定した各設置場所での望ましい対処方法を示唆する対処情報を警報音声に含ませて出力する。対処情報の内容に制限はないが、避難方法、消防署への通報等を指示する内容が望ましい。
【００１５】
具体的には、コード「１」に対しては「ピューピュー火事です、火事です、足下に気をつけて避難して下さい」という警報音声が割り当てられ、コード「２」に対しては「ピューピュー火事です、火事です、消防署に通報してください」という警報音声が割り当てられている。また、コード「３」に対しては「ピューピュー火事です、火事です、しゃがんで避難してください」、コード「４」に対しては「ピューピュー火事です、火事です、誘導灯に従って避難してください」という警報音声が割り当てられている。そして、設定部１５では、所望の警報音声に対応したコードを選択設定する。
【００１６】
このように、本発明は、警報器１が設置される可能性がある場所を複数通り想定して、それらの場所に適した警報音声を予め準備し、その警報音声から所望のものを選択部によって選択設定する簡単な構成としているので、低コストで実施できる。また、火災時には、設置場所での望ましい対処を示唆する警報音声を出力することができるので、幼児や老人の場合でも、適切な対処が可能になる。
【００１７】
また、別構成として、音声データ格納部１４には、異常報知音声と、それぞれ異なる複数の対処情報音声とを予め記憶させておき、警報制御部１３は、検知部１１が監視対象の異常を検知したときには、異常報知音声と、設定部１５によって選択設定されている対処情報音声とを組み合わせて出力するようにしてもよい。
【００１８】
図４は、この別構成における対処情報音声の割り当て表で、音声データ格納部１４には、このコードに対応させて、異常報知音声と、対処情報音声のそれぞれとが記憶されている。
【００１９】
具体的には、コード「０」に対しては「ピューピュー火事です、火事です」という異常報知音声が割り当てられている。そして、コード「１」に対しては「足下に気をつけて避難して下さい」、コード「２」に対しては「消防署に通報してください」という対処情報音声が割り当てられている。また、コード「３」に対しては「しゃがんで避難してください」、コード「４」に対しては「誘導灯に従って避難してください」という対処情報音声が割り当てられている。
【００２０】
この別構成では、警報音声が、異常報知音声と対処情報音声との組み合わせになっており、各組み合わせにおいて、異常報知音声は共通した音声データが使われるので、音声データ格納部１４の容量を節約できる。
【００２１】
図４は、実施例のより具体的な機能ブロック図である。この警報器１は、発光部と受光部とを有した検知部１１と、マイコン１３ａと、音声データ格納部１４を有した音声ＩＣ１３ｂと、スピーカ１２を駆動する増幅器１３ｃとで構成されており、電池１７によって作動する。マイコン１３ａには、警報停止操作等を受け付ける操作部１６を構成するスイッチが接続されている。
【００２２】
この構成では、マイコン１３ａ、音声ＩＣ１３ｂ、および増幅回路１３ｃが警報制御部１３を構成しており、音声ＩＣ１３ｂには、警報音声を選択設定する選択部１５としてディップスイッチが接続されている。
【００２３】
検知部１１は、遮光しつつ空気の流通を許容するラビリンス壁で囲まれた検知室に、ＬＥＤ等で構成された発光部１１ａと、ホトダイオード等で構成された受光部１１ｂとを適宜配置した構造で、発光部１１ａから検知室内部に光を照射して、煙粒子によって反射された反射光を受光部１１ｂで光電変換し、その光電変換された信号を煙濃度信号として出力する。
【００２４】
マイコン１１ａは、監視動作として、所定の周期で検知部１１を作動させ、煙濃度信号を所定値と比較して火災を判断すると、音声ＩＣ１３ｂに対して火災出力信号を送出する。また、所定の周期で試験動作を行い、電池１７の電圧や検知部１１の汚れ等を自己診断して異常を判断すると、音声ＩＣ１３ｂに対して、電池切れ出力信号あるいは故障出力信号を送出する。なお、警報出力信号は、警報の出力を許可する信号である。
【００２５】
音声ＩＣ１３ｂは、火災出力信号を受け付けると、選択部１５を参照して、図２に示しているコードに対応した警報音声を特定して増幅器１３ｃに送出し、スピーカ１２から出力させる。
【図面の簡単な説明】
【００２６】
【図１】実施例の機能ブロック図である。
【図２】実施例における警報音声のコード割り当て表である。
【図３】別構成における警報音声のコード割り当て表である。
【図４】実施例のより具体的な機能ブロック図である。
【符号の説明】
【００２７】
１    警報器
１１  検知部
１３  警報制御部
１４  音声データ格納部
１５  設定部
【図１】
2010108027.tif 000003
【図２】
2010108027.tif 000004
【図３】
2010108027.tif 000005
【図４】
2010108027.tif 000006